(57)【要約】【課題】  防水パンのリブの肉厚を増加させないで、床部の床面強度を向上させる防水パンの補強構造を提供することを目的とする。【解決手段】裏面に格子状に突出して縦リブ１４１と横リブ１４２とから形成された補強リブ１４に補強金具２０が固着されてなる防水パンの補強構造であって、補強金具２０は底板部２１の両側に屈曲して立ち上げた側板部２２が設けられ、該側板部２２に縦リブ１４１が挿入可能な切欠部２３を縦リブ１４１の配列ピッチで形成し、該切欠部２３に縦リブ１４１が挿入されるとともに側板部２２が横リブ１４２に固着されている。【選択図】      図１
2005036563.tif 000002
【特許請求の範囲】
【請求項１】
裏面に格子状に突出して縦リブと横リブとから形成された補強リブに補強金具が固着されてなる防水パンの補強構造であって、補強金具は底板部の両側に屈曲して立ち上げた側板部が設けられ、該側板部に縦リブ（または横リブ）が挿入可能な切欠部を縦リブ（または横リブ）の配列ピッチで形成し、該切欠部に縦リブ（または横リブ）が挿入されるとともに側板部が横リブ（または縦リブ）に固着されていることを特徴とする防水パンの補強構造。
【請求項２】
横リブ（または縦リブ）の間に補強金具がはめ込まれ、側板部の外側面が横リブ（または縦リブ）に重合されていることを特徴とする請求項１記載の防水パンの補強構造。
【請求項３】
横リブ（または縦リブ）に側板部がビスにより固着されていることを特徴とする請求項２記載の防水パンの補強構造。
【請求項４】
ビスが孔あけとねじ込みが同時に行うことができるドリリングビスであることを特徴とする請求項３記載の防水パンの補強構造。
【請求項５】
横リブ（または縦リブ）に側板部が接着剤により固着されていることを特徴とする請求項１または２記載の防水パンの補強構造。
【発明の詳細な説明】
【技術分野】
【０００１】
本発明は、ユニットバス、トイレユニット、洗面ユニット、洗濯機等が載置される防水パンの補強構造に関する。
【背景技術】
【０００２】
従来、ユニットバス、トイレユニット、洗面ユニット、洗濯機、その他の設備ユニットからの排水、或いは飛沫水等で床上が濡れないように、防水パンが広く使用されている（例えば、特許文献１を参照。）。
【０００３】
この防水パンは、繊維強化合成樹脂（ＦＲＰ）で製せられており、その構造として、例えば浴室ユニットの洗い場の場合、図１０に示すように、洗い場床部１１の周囲に立上壁１２を設け、この立上壁１２の上端には、側壁パネルを載置するための壁パネル載置部１３を形成している。
【０００４】
また、防水パン１０は床部１１上を使用者が移動したりすると撓むことがあるので、床部１０の裏面側に格子状の補強リブ１４を突出形成し、補強するようにしており、四隅に脚フレーム１５を設け、この脚フレーム１５にボルト脚１６を取付けている。更にまた、排水口１７の裏側には、排水トラップとの接続口１８を箱状に突出形成している。
【０００５】
ところで、防水パン１０の床部１１の裏面側に格子状の補強リブ１４を設けに補強構造では、床面の撓み防止が不十分であるので、更に防水パン１０の床面強度を向上させるために、補強リブ１４の本数を増やしたり、補強リブ１４や床部１１の肉厚を大きくしたり、ボルト脚１６の本数を追加したりするなどの改善を試みていた。
【特許文献１】実用新案登録２５２８０５４号公報（図３及び図４）
【発明の開示】
【発明が解決しようとする課題】
【０００６】
しかしながら、補強リブ１４の本数を増やしたり、補強リブ１４や床部１１の肉厚を大きくしたりすると、製品重量が極端に大きくなってしまい、施工が困難になってしまうとともに、重量増加分の材料費が嵩み，大幅なコストアップとなる。また、補強リブ１４の肉厚を大きくすると防水パン１０の床表面に補強リブ１４の成形収縮によるひけが生じてしまい、外観不良となることもある。
また、防水パン１０にボルト脚１６を追加した場合、ボルト脚１６の増えたことにより防水パン１４のガタツキによる音鳴りが発生し、躯体床面との脚の設置高さの調整に手間がかかるという問題点があった。
【０００７】
本発明の目的は、上記従来技術の問題点を解消し、防水パンのリブの肉厚を増加させないで、床部の床面強度を向上させる防水パンの補強構造を提供することにある。
【課題を解決するための手段】
【０００８】
請求項１記載の本発明の防水パンの補強構造は、裏面に格子状に突出して縦リブと横リブとから形成された補強リブに補強金具が固着されてなる防水パンの補強構造であって、補強金具は底板部の両側に屈曲して立ち上げた側板部が設けられ、該側板部に縦リブ（または横リブ）が挿入可能な切欠部が縦リブ（または横リブ）の配列ピッチで形成され、該切欠部に縦リブ（または横リブ）が挿入されるとともに側板部が横リブ（または縦リブ）に固着されているものである。
【０００９】
本発明において、防水パンの裏面に突出形成される補強リブとしては、縦リブと横リブとから形成されるもので、その材質は防水パン自体の材質と同じで、防水パンと一体にＦＲＰでプレス成形により形成されたものが挙げられる。
【００１０】
補強金具としては、鉄、アルミニウム等の鋼板が挙げられるが、耐久性、耐食性、コストを考慮すると、亜鉛メッキ鋼板が好ましい。また、鋼板の板厚みは、重量が上がらず、ドリリングビスで固定するときに鋼板が内側に屈曲して倒れない程度で、１．０〜１．６ｍｍの範囲が好ましい。そして、その形状としては、鋼板等の長尺板体から補強リブと干渉する部分を切り欠いて、両側壁部をプレス金型により屈曲して起立させた断面凹溝型の構造が好ましい。
【００１１】
請求項２記載の本発明の防水パンの補強構造は、請求項１記載の防水パンの補強構造において、横リブ（または縦リブ）の間に補強金具がはめ込まれ、側板部の外側面が横リブ（または縦リブ）に重合されているものである。
【００１２】
請求項３記載の本発明の防水パンの補強構造は、請求項２記載の防水パンの補強構造において、横リブ（または縦リブ）に側板部がビスにより固着されるものである。
ビスを用いることにより、ＦＲＰ製の補強リブを貫通して補強金具の側板部に螺着することができるので、固着したビスに緩みが生じることがない。
【００１３】
請求項４記載の本発明の防水パンの補強構造は、請求項３記載の防水パンの補強構造において、ビスが孔あけとねじ込みが同時に行うことができるドリリングビスである。
上記ドリリングビスは、先端が孔あけのドリル機能を有したねじ構造となっており、このようなドリリングビスを用いることにより、ドリルやキリ等でビスの取付孔を穿設する手間が省けることになり、ＦＲＰ製の補強リブを貫通して補強金具の側板部に簡単にねじ着することができる。
【００１４】
請求項５記載の本発明の防水パンの補強構造は、請求項１または２記載の防水パンの補強構造において、横リブ（または縦リブ）に側板部が接着剤により固着されているものである。
請求項５記載の防水パンの補強構造において用いられる接着剤としては、２液型アクリル系接着剤等が挙げられる。
【発明の効果】
【００１５】
本発明の防水パンの補強構造は、裏面に格子状に突出して縦リブと横リブとから形成された補強リブに補強金具が固着されてなる防水パンの補強構造であって、補強金具は底板部の両側に屈曲して立ち上げた側板部が設けられ、該側板部に縦リブ（または横リブ）が挿入可能な切欠部が縦リブ（または横リブ）の配列ピッチで形成され、該切欠部に縦リブ（または横リブ）が挿入されるとともに側板部が横リブ（または縦リブ）に固着されているので、防水パンの重量を増加させずに、防水パンの床面強度を向上させることができ、従って、施工性を低下させず、コストが上昇するのを防ぐことができる。
【発明を実施するための最良の形態】
【００１６】
以下、本発明の実施の形態を図面を参照しながら詳細に説明する。
【００１７】
図１は本発明の防水パンの補強構造の一実施例を示す断面図、図２は同じく本発明防水パンの補強構造の底面図、図３は本発明において使用される防水パンの底面図、図４は本発明において使用される補強金具の斜視図、図５は同上補強金具を防水パンの裏面に取付ける状態を説明する断面図、図６は本発明の防水パンの補強構造の要部拡大断面図、図７は本発明の防水パンの補強構造の他の例を示す要部拡大断面図である。
【００１８】
図１〜３に於いて、１０は防水パンで、１１は防水パンの床部、１２は床部１１の周縁に形成された立上壁、１３は立上壁１２に延設された壁パネル載置部である。床部１１の裏面に格子状に補強リブ１４が突出形成されており、四隅には脚フレーム１５が取付けられ、この脚フレーム１５にボルト脚１６が高さ調整自在に取付けられている。更にまた、排水口１７の裏側には、排水トラップとの接続口１８が箱状に突出形成されている。
【００１９】
２０は補強金具で、床部１０の裏面の縦リブ１４１と横リブ１４２とからなる補強リブ１４に固着されている。
この補強金具２０は、図４に示すように、底板部２１の両側に屈曲して側板部２２が立設され、側板部２２に縦リブ１４１が挿入可能な切欠部２３が縦リブ１４１の配列ピッチで形成されている。
【００２０】
また、補強金具２０の底板部２１の幅寸法は横リブ１４２、１４２の間にはめ込むことができる寸法とされており、この場合、中央の横リブ１４２を跨いで、両側の横リブ１４２、１４２との間に挟まれた状態ではめ込まれている。
【００２１】
以下に、本発明の実施の形態における具体的を実施例を比較例と対比して説明する。
【実施例１】
【００２２】
図１に示す防水パンの補強構造に於いて、防水パン１０としては、図３に示すような浴室ユニット用防水パン（セキスイバスサルーンＮＰシリーズ．１６２１ユニット：積水ホームテクノ株式会社製）を使用した。
【００２３】
また、補強金具２０としては、図４に示すような溝型形状で、鋼板の材質としてはＳＳ４００亜鉛メッキ鋼板、板厚は１．２ｍｍのものを使用した。補強金具２０の寸法は長さＬが１２１０ｍｍ、底板部２１の幅Ｗが１５１ｍｍ、側壁部２２の高さＨが３５ｍｍとなるものを使用した。
【００２４】
上記防水パン１０の裏面には、図５に示すように、縦リブ１４１を補強金具２０の切欠部２３に挿入するとともに横リブ１４２、１４２の間に両側板部２２、２２を摺動させながらをはめ込み、図６に示すように、側板部２２の外側面と横リブ１４２の内面とを重合させ、ドリリングビス３０を用いて、横リブ１４２から補強鋼板２０の側板部２２へと螺着して固定した。
【００２５】
このように補強された防水パン１０の裏面に、ボルト脚付きフレーム１５を取付け、常温下において、防水パン１０の上面中央部に直径１５０ｍｍのゴム板を敷設して、そのゴム板の上に１００ｋｇｆの錘を載置し、床部の最大撓みを測定した。その結果を表１に示す。
【００２６】
【表１】
2005036563.tif 000003
【実施例２】
【００２７】
上記実施例１の補強金具２０の側板部２２への固着方法において、ドリリングビス３０を用いないで、図７に示すように、接着剤４０により補強金具２０の側板部２２を横リブ１４２に固着した。それ以外は実施例１と同様に行って、補強された防水パンを得た。その結果を表１に示す。
(比較例１)
【００２８】
図８に示すように、防水パン１０の裏面に補強金具２０を取付けなかった。それ以外は実施例１と同様に行って、防水パンの評価を行った。その結果を表１に示す。
(比較例２)
【００２９】
上記比較例１において、図９に示すように防水パン１０の裏面に縦リブ１４１、横リブ１４２の補強リブ１４の本数を増加させ、更に、中央部に斜めリブ１４３を追加した。それ以外は実施例１と同様に行って、防水パンの評価を行った。その結果を表１に示す。
【００３０】
以上、本発明実施の形態を図面に基づいて説明してきたが、具体的な構成はこの実施例のものに限られるものではなく本発明の要旨を逸脱しない範囲の設計変更等があっても本発明に含まれる。
【００３１】
例えば、防水パン１０の裏面には、横リブ１４２を補強金具２０の切欠部２３に挿入するとともに縦リブ１４１、１４１の間に両側板部２２、２２を摺動させながらをはめ込むようにして、補強金具２０の取付け方向を変えてもよい。
【図面の簡単な説明】
【００３２】
【図１】本発明の防水パンの補強構造の一実施例を示す断面図である。
【図２】同じく本発明防水パンの補強構造を示す底面図である。
【図３】本発明において使用される防水パンの底面図である。
【図４】本発明において使用される補強金具の斜視図である。
【図５】同上補強金具を防水パンの裏面に取付ける状態を説明する断面図
【図６】本発明の防水パンの補強構造を説明する要部拡大断面図である。
【図７】本発明の防水パンの補強構造の他の実施例を説明する要部拡大断面図である。
【図８】本発明の防水パンの補強構造の比較例を示す底面図である。
【図９】同じく他の比較例を示す底面図である。
【図１０】従来例を説明する断面図である。
【符号の説明】
【００３３】
１０        防水パン                                                            １１        床部
１２        立上壁  
１３        壁パネル載置部
１４        補強リブ
１４１      縦リブ
１４２      横リブ
２０        補強金具
２１        底板部
２２        側壁部
２３        切欠部
３０        ビス（ドリリングビス）
４０        接着剤
【図１】
2005036563.tif 000004
【図２】
2005036563.tif 000005
【図３】
2005036563.tif 000006
【図４】
2005036563.tif 000007
【図５】
2005036563.tif 000008
【図６】
2005036563.tif 000009
【図７】
2005036563.tif 000010
【図８】
2005036563.tif 000011
【図９】
2005036563.tif 000012
【図１０】
2005036563.tif 000013